(57)【要約】【課題】  遊技盤に対して回動可能な装飾体と、所定の移動方向へ移動可能な移動体とを、前後方向で重なり合った状態で配置し、個別の駆動源にて駆動することによって、意外性や躍動感に富んだ演出動作で遊技者の興趣を高めることのできる遊技機用可動演出装置とそれを備えた遊技機を提供する。【解決手段】  昇降枠５０の前枠５０Ｆは、中文字板３０Ｃと回動枠１０の背面枠１０Ｒとに挟まれて配置されている。昇降枠５０（前枠５０Ｆ）は、回動枠１０の前方側にて前後で重なり合った状態を保持しつつ、回動枠１０とは独立して上下方向に昇降移動可能である。前方側ユニット９は、昇降枠５０を昇降移動するための駆動系として、昇降枠５０を駆動するための昇降枠モータ１５０及び駆動アーム１５１と、平行クランク機構１４０と中文字板３０Ｃとの間に配置される案内機構１６０とを備えている。【選択図】  図１５
2010214012.tif 000002
【特許請求の範囲】
【請求項１】
遊技盤に対して交差状をなして所定位置に配置された装飾体回動軸線周りに、所定の回動角で回動可能な装飾体と、
その装飾体に対して、前記装飾体回動軸線周りの駆動力を及ぼすための装飾体駆動源と、
遊技者側を前方側としたとき、前記装飾体と前後方向において少なくとも部分的に重なり合った状態を保持しつつ、前記装飾体とは独立して、当該装飾体の前方側にて所定の移動方向へ移動可能な移動体と、
その移動体に対して前記移動方向の駆動力を及ぼすために、前記装飾体に搭載された移動体駆動源と、を備え、
前記装飾体駆動源からの駆動力によって前記装飾体が前記装飾体回動軸線周りに回動した後、その回動位置を基準として、前記移動体は、前記移動体駆動源からの駆動力によって前記移動方向に往復移動可能であることを特徴とする遊技機用可動演出装置。
【請求項２】
遊技者側を前方側としたとき、遊技盤の盤面に沿って所定の方向に長尺状に延びるとともに、長手方向一端側である基端部にて遊技盤に対して交差状に配置された装飾体回動軸線周りに、長手方向他端側である先端部を所定の回動角で回動可能な装飾体と、
その片持ち状の装飾体に対して、前記装飾体回動軸線周りの駆動力を及ぼすための装飾体駆動源と、
前記装飾体と前後方向において少なくとも部分的に重なり合った状態を保持しつつ、前記装飾体とは独立して、当該装飾体の前方側にてその長手方向と交差する移動方向へ移動可能な移動体と、
その移動体に対して前記移動方向の駆動力を及ぼすために、前記装飾体に搭載された移動体駆動源と、を備え、
前記装飾体駆動源からの駆動力によって前記装飾体が前記装飾体回動軸線周りに回動した後、その回動位置を基準として、前記移動体は、前記移動体駆動源からの駆動力によって前記移動方向に往復移動可能であることを特徴とする遊技機用可動演出装置。
【請求項３】
遊技盤に対して交差状をなして所定位置に配置された装飾体回動軸線周りに、所定の回動角で回動可能な装飾体と、
その装飾体に対して、前記装飾体回動軸線周りの駆動力を及ぼすための装飾体駆動源と、
遊技者側を前方側としたとき、遊技盤の盤面に対して前後方向以外の方向性を有する文字・数字・記号・図形等の表示対象を表記する、又は象るとともに、前記装飾体の前方側において、対応する表示体回動軸線周りに前記装飾体との相対回動可能に各々装着された、１又は複数の表示体と、
前記装飾体に装着されるとともに、前記装飾体の回動につれて、その回動方向と同一方向へ、かつ前記装飾体回動軸線周りに前記回動角と同一の回動角度範囲で回動する回動機構と、
その回動機構と前記表示体とに連結されるとともに、前記回動機構の回動角度範囲をそれと等価な回動角度範囲として前記表示体に伝えるリンク機構と、
前記表示体から選ばれた選択表示体と前記装飾体とに挟まれる形でそれらと前後方向において少なくとも部分的に重なり合った状態を保持しつつ、前記装飾体とは独立して、当該装飾体の前方側にて所定の移動方向へ前記選択表示体とともに移動可能な移動体と、
その移動体に対して前記移動方向の駆動力を及ぼすために、前記装飾体に搭載された移動体駆動源と、
前記リンク機構と選択表示体との間に配置され、前記移動体駆動源からの駆動力により前記移動体が前記選択表示体とともに前記移動方向に移動する際に、前記リンク機構の一部を前記移動方向に沿って移動案内するための案内機構と、を備え、
前記装飾体が前記装飾体回動軸線周りに回動するとき、その装飾体の回動が前記回動機構及びリンク機構を介して前記表示体に伝達可能とされ、前記表示体は、前記装飾体の回動の前後において、前記遊技盤に対して一定の方向性を維持する一方、
前記装飾体駆動源からの駆動力によって前記装飾体が前記装飾体回動軸線周りに回動した後、その回動位置を基準として、前記移動体は、前記案内機構を介して前記選択表示体とともに、前記移動体駆動源からの駆動力によって前記移動方向に往復移動可能であることを特徴とする遊技機用可動演出装置。
【請求項４】
遊技者側を前方側としたとき、遊技盤の盤面に沿って所定の方向に長尺状に延びるとともに、長手方向一端側である基端部にて遊技盤に対して交差状に配置された装飾体回動軸線周りに、長手方向他端側である先端部を所定の回動角で回動可能な装飾体と、
その片持ち状の装飾体に対して、前記装飾体回動軸線周りの駆動力を及ぼすための装飾体駆動源と、
遊技盤の盤面に対して前後方向以外の方向性を有する文字・数字・記号・図形等の表示対象を表記する、又は象るとともに、前記装飾体の前方側において、対応する表示体回動軸線周りに回動可能に各々装着された、１又は複数の表示体と、
前記装飾体に装着されるとともに、前記装飾体の回動につれて、その回動方向と同一方向へ、かつ前記装飾体回動軸線周りに前記回動角と同一の回動角度範囲で回動する回動機構と、
その回動機構と前記表示体とに連結されるとともに、前記回動機構の回動角度範囲をそれと等価な回動角度範囲として前記表示体に伝えるリンク機構と、
前記表示体から選ばれた選択表示体と前記装飾体とに挟まれる形でそれらと前後方向において少なくとも部分的に重なり合った状態を保持しつつ、前記装飾体とは独立して、当該装飾体の前方側にてその長手方向と交差する移動方向へ前記選択表示体とともに移動可能な移動体と、
その移動体に対して前記移動方向の駆動力を及ぼすために、前記装飾体に搭載された移動体駆動源と、
前記リンク機構と選択表示体との間に配置され、前記移動体駆動源からの駆動力により前記移動体が前記選択表示体とともに前記移動方向に移動する際に、前記リンク機構の一部を前記移動方向に沿って移動案内するための案内機構と、を備え、
前記装飾体が前記装飾体回動軸線周りに回動するとき、その装飾体の回動が前記回動機構及びリンク機構を介して前記表示体に伝達可能とされ、前記表示体は、前記装飾体の回動の前後において、前記遊技盤に対して一定の方向性を維持する一方、
前記装飾体駆動源からの駆動力によって前記装飾体が前記装飾体回動軸線周りに回動した後、その回動位置を基準として、前記移動体は、前記案内機構を介して前記選択表示体とともに、前記移動体駆動源からの駆動力によって前記移動方向に往復移動可能であることを特徴とする遊技機用可動演出装置。
【請求項５】
前記回動位置は前記回動角と同一の回動角度範囲内において任意の位置に設定できるとともに、
前記選択表示体が配置された移動体は、その選択表示体が遊技盤に対して一定の方向性を維持しながら、前記移動方向に往復移動する一方、
前記移動体が前記移動方向に往復移動中に前記装飾体の回動位置を変更調整可能である請求項３又は４に記載の遊技機用可動演出装置。
【請求項６】
請求項１ないし５のいずれか１項に記載の遊技機用可動演出装置を備えることを特徴とする遊技機。
【発明の詳細な説明】
【技術分野】
【０００１】
本発明は、パチンコ機のセンター役物等に用いられる遊技機用可動演出装置と、そのような可動演出装置を備えるパチンコ機等の遊技機に関する。
【背景技術】
【０００２】
例えば、パチンコ機の装飾部材（センター役物）において、演出表示用の可変表示装置の側方に配置された２つの演出用可動体を、単一の駆動モータ（駆動源）により同一方向に揺動させて一連の演出動作を実行する可動演出装置が開示されている（特許文献１参照）。
【先行技術文献】
【特許文献】
【０００３】
【特許文献１】特開２００７−３１２８４７号公報
【０００４】
このような可動演出装置によれば、２つの演出用可動体を単一の駆動モータで一連に演出動作させることによって、構成の簡略化を図りつつ遊技者の一層の関心を惹くことができる。ところが、２つの演出用可動体を異なる軌道で可動するとはいえ、これら一連の演出動作は単一の駆動モータにより同一方向にかつ同時に実行されるので動きが単調になりがちであり、演出動作に意外性や躍動感が乏しく遊技者の興趣を高めるには十分とは言えなかった。また、例えば文字で表示されたロゴマークのように上下に方向性を有する第３の演出用可動体を設ける場合には、回動の前後で方向が変化すると遊技者が演出動作の内容を理解できなくなるおそれがあり、遊技者の興趣が急激に薄れることになる。そして、このような事態は、第３の演出用可動体が２つの演出用可動体のいずれかと同一の軌道で一体に回動する場合であっても同様に発生する。
【発明の概要】
【発明が解決しようとする課題】
【０００５】
本発明の課題は、遊技盤に対して回動可能な装飾体と、所定の移動方向へ移動可能な移動体とを、前後方向で重なり合った状態で配置し、個別の駆動源にて駆動することによって、意外性や躍動感に富んだ演出動作で遊技者の興趣を高めることのできる遊技機用可動演出装置とそれを備えた遊技機を提供することにある。また、上記装飾体及び移動体に加え、方向性を有する表示対象が表示された表示体を装飾体の駆動源によって連動して回動するときでも、回動の前後を通じて表示体に一定の方向性を維持することのできる遊技機用可動演出装置とそれを備えた遊技機を提供することにある。
【課題を解決するための手段及び発明の効果】
【０００６】
上記課題を解決するために、本発明の遊技機用可動演出装置は、
遊技盤に対して交差状をなして所定位置に配置された装飾体回動軸線周りに、所定の回動角で回動可能な装飾体と、
その装飾体に対して、前記装飾体回動軸線周りの駆動力を及ぼすための装飾体駆動源と、
遊技者側を前方側としたとき、前記装飾体と前後方向において少なくとも部分的に重なり合った状態を保持しつつ、前記装飾体とは独立して、当該装飾体の前方側にて所定の移動方向へ移動可能な移動体と、
その移動体に対して前記移動方向の駆動力を及ぼすために、前記装飾体に搭載された移動体駆動源と、を備え、
前記装飾体駆動源からの駆動力によって前記装飾体が前記装飾体回動軸線周りに回動した後、その回動位置を基準として、前記移動体は、前記移動体駆動源からの駆動力によって前記移動方向に往復移動可能であることを特徴とする。
【０００７】
また、上記課題を解決するために、本発明の遊技機用可動演出装置の具体的態様は、
遊技者側を前方側としたとき、遊技盤の盤面に沿って（例えば遊技盤の盤面と平行状で）所定の方向に長尺状（かつ平板状）に延びるとともに、長手方向一端側である基端部にて遊技盤に対して交差（例えば直交）状に配置された装飾体回動軸線周りに、長手方向他端側である先端部を所定の回動角で回動可能な装飾体と、
その片持ち状の装飾体に対して、前記装飾体回動軸線周りの駆動力を及ぼすための装飾体駆動源と、
前記装飾体と前後方向において少なくとも部分的に重なり合った状態を保持しつつ、前記装飾体とは独立して、当該装飾体の前方側にてその長手方向と交差（例えば直交）する移動方向へ移動可能な移動体と、
その移動体に対して前記移動方向の駆動力を及ぼすために、前記装飾体に搭載された移動体駆動源と、を備え、
前記装飾体駆動源からの駆動力によって前記装飾体が前記装飾体回動軸線周りに回動した後、その回動位置を基準として、前記移動体は、前記移動体駆動源からの駆動力によって前記移動方向に往復移動可能であることを特徴とする。
【０００８】
これらの遊技機用可動演出装置では、装飾体駆動源（例えば回動枠モータ）からの駆動力によって装飾体（例えば片持ち支持された長尺状の回動枠）が装飾体回動軸線周りに回動した後、その回動位置を基準として、移動体（例えば昇降枠）は、移動体駆動源（例えば昇降枠モータ）からの駆動力によって所定の移動方向（例えば、装飾体の長手方向と直交し、かつ遊技盤の盤面と平行な移動方向；一例として上下方向）に往復移動可能である。つまり、遊技盤に対して回動可能な装飾体と、所定の移動方向へ移動可能な移動体とを、前後方向で重なり合った状態で配置し、個別の駆動源にて駆動することによって、意外性や躍動感に富んだ演出動作で遊技者の興趣を高めることができる。このように、装飾体は装飾体駆動源からの駆動力によって回動し、移動体は移動体駆動源からの駆動力によって装飾体の前方側で往復移動するため、迫力に富んだ演出動作により遊技者の興趣を持続させることができる。
【０００９】
なお、「装飾体駆動源」や「移動体駆動源」には、ロータリアクチュエータ（例えばステッピングモータ）、リニアアクチュエータ（例えばリニアステッピングモータ）のいずれを用いてもよい。また、装飾体の長手方向の一部を移動体とし、両者を前後方向で重ね合わせることによって、構成を簡素化することができる。
【００１０】
そして、このような遊技機用可動演出装置において、
回動位置を回動角の範囲内において任意の位置に設定できるとともに、移動体が移動方向に往復移動中に装飾体の回動位置を変更調整可能とすることができる。
【００１１】
このように、移動体の往復移動と同時に装飾体を回動させることによって、さらに迫力に富んだ演出動作で遊技者の興趣を高めることができる。
【００１２】
また、移動体を、片持ち支持された長尺状の装飾体の基端部と先端部との間の長手方向中途部に配置することができる。
【００１３】
装飾体に搭載された移動体の往復運動は装飾体に振動として伝播する。したがって、移動体を片持ち状態の装飾体の長手方向中途部に配置することによって、装飾体の先端部では振幅が拡大され、より大きな揺れとなって視認可能となる。
【００１４】
次に、上記課題を解決するために、本発明の遊技機用可動演出装置は、
遊技盤に対して交差状をなして所定位置に配置された装飾体回動軸線周りに、所定の回動角で回動可能な装飾体と、
その装飾体に対して、前記装飾体回動軸線周りの駆動力を及ぼすための装飾体駆動源と、
遊技者側を前方側としたとき、遊技盤の盤面に対して前後方向以外の方向性を有する文字・数字・記号・図形等の表示対象を表記する、又は象るとともに、前記装飾体の前方側において、対応する表示体回動軸線周りに前記装飾体との相対回動可能に各々装着された、１又は複数の表示体と、
前記装飾体に装着されるとともに、前記装飾体の回動につれて、その回動方向と同一方向へ、かつ前記装飾体回動軸線周りに前記回動角と同一の回動角度範囲で回動する回動機構と、
その回動機構と前記表示体とに連結されるとともに、前記回動機構の回動角度範囲をそれと等価な回動角度範囲として前記表示体に伝えるリンク機構と、
前記表示体から選ばれた選択表示体と前記装飾体とに挟まれる形でそれらと前後方向において少なくとも部分的に重なり合った状態を保持しつつ、前記装飾体とは独立して、当該装飾体の前方側にて所定の移動方向へ前記選択表示体とともに移動可能な移動体と、
その移動体に対して前記移動方向の駆動力を及ぼすために、前記装飾体に搭載された移動体駆動源と、
前記リンク機構と選択表示体との間に配置され、前記移動体駆動源からの駆動力により前記移動体が前記選択表示体とともに前記移動方向に移動する際に、前記リンク機構の一部を前記移動方向に沿って移動案内するための案内機構と、を備え、
前記装飾体が前記装飾体回動軸線周りに回動するとき、その装飾体の回動が前記回動機構及びリンク機構を介して前記表示体に伝達可能とされ、前記表示体は、前記装飾体の回動の前後において、前記遊技盤に対して一定の方向性を維持する一方、
前記装飾体駆動源からの駆動力によって前記装飾体が前記装飾体回動軸線周りに回動した後、その回動位置を基準として、前記移動体は、前記案内機構を介して前記選択表示体とともに、前記移動体駆動源からの駆動力によって前記移動方向に往復移動可能であることを特徴とする。
【００１５】
また、上記課題を解決するために、本発明の遊技機用可動演出装置の具体的態様は、
遊技者側を前方側としたとき、遊技盤の盤面に沿って（例えば遊技盤の盤面と平行状で）所定の方向に長尺状（かつ平板状）に延びるとともに、長手方向一端側である基端部にて遊技盤に対して交差（例えば直交）状に配置された装飾体回動軸線周りに、長手方向他端側である先端部を所定の回動角で回動可能な装飾体と、
その片持ち状の装飾体に対して、前記装飾体回動軸線周りの駆動力を及ぼすための装飾体駆動源と、
遊技盤の盤面に対して前後方向以外の方向性を有する文字・数字・記号・図形等の表示対象を表記する、又は象るとともに、前記装飾体の前方側において、対応する表示体回動軸線周りに回動可能に各々装着された、１又は複数の表示体と、
前記装飾体に装着されるとともに、前記装飾体の回動につれて、その回動方向と同一方向へ、かつ前記装飾体回動軸線周りに前記回動角と同一の回動角度範囲で回動する回動機構と、
その回動機構と前記表示体とに連結されるとともに、前記回動機構の回動角度範囲をそれと等価な回動角度範囲として前記表示体に伝えるリンク機構と、
前記表示体から選ばれた選択表示体と前記装飾体とに挟まれる形でそれらと前後方向において少なくとも部分的に重なり合った状態を保持しつつ、前記装飾体とは独立して、当該装飾体の前方側にてその長手方向と交差（例えば直交）する移動方向へ前記選択表示体とともに移動可能な移動体と、
その移動体に対して前記移動方向の駆動力を及ぼすために、前記装飾体に搭載された移動体駆動源と、
前記リンク機構と選択表示体との間に配置され、前記移動体駆動源からの駆動力により前記移動体が前記選択表示体とともに前記移動方向に移動する際に、前記リンク機構の一部を前記移動方向に沿って移動案内するための案内機構と、を備え、
前記装飾体が前記装飾体回動軸線周りに回動するとき、その装飾体の回動が前記回動機構及びリンク機構を介して前記表示体に伝達可能とされ、前記表示体は、前記装飾体の回動の前後において、前記遊技盤に対して一定の方向性を維持する一方、
前記装飾体駆動源からの駆動力によって前記装飾体が前記装飾体回動軸線周りに回動した後、その回動位置を基準として、前記移動体は、前記案内機構を介して前記選択表示体とともに、前記移動体駆動源からの駆動力によって前記移動方向に往復移動可能であることを特徴とする。
【００１６】
これらの遊技機用可動演出装置でも、上記したと同様に、装飾体駆動源（例えば回動枠モータ）からの駆動力によって装飾体（例えば片持ち支持された長尺状の回動枠）が装飾体回動軸線周りに回動した後、その回動位置を基準として、移動体（例えば昇降枠）は、移動体駆動源（例えば昇降枠モータ）からの駆動力によって所定の移動方向（例えば、装飾体の長手方向と直交し、かつ遊技盤の盤面と平行な移動方向；一例として上下方向）に往復移動可能である。つまり、遊技盤に対して回動可能な装飾体と、所定の移動方向へ移動可能な移動体とを、前後方向で重なり合った状態で配置し、個別の駆動源にて駆動することによって、意外性や躍動感に富んだ演出動作で遊技者の興趣を高めることができる。このように、装飾体は装飾体駆動源からの駆動力によって回動し、移動体は移動体駆動源からの駆動力によって装飾体の前方側で往復移動するため、迫力に富んだ演出動作により遊技者の興趣を持続させることができる。
【００１７】
また、これらの遊技機用可動演出装置では、それに加えて、装飾体が装飾体回動軸線周りに回動するとき、装飾体の回動が回動機構（例えば遊星歯車機構）及びリンク機構（例えば平行クランク機構）を介して表示体（例えば文字板）に伝達可能とされ、表示体は、装飾体の回動の前後において、遊技盤に対して一定の方向性を維持する。つまり、装飾体駆動源の駆動力によって装飾体が回動するとき、装飾体の動きが回動機構及びリンク機構を介して伝達された表示体は、回動の前後を通じて一定の方向性（例えば文字の向きが不変）を維持することができる。このように、回動の前後で表示体の方向性が変化しないため、演出動作の内容を見誤ったり理解できなくなったりすることなく、遊技者に対して興趣を持続させることができる。そして、このことは、表示体が装飾体と同一の軌道で一体に回動している場合、異なる軌道で別体に回動している場合のいずれにおいても同様である。
【００１８】
さらに、これらの遊技機用可動演出装置では、リンク機構と選択表示体との間に案内機構（例えばリンク支点軸移動用案内溝）が配置されているので、移動体は、案内機構を介して選択表示体とともに、移動体駆動源からの駆動力によって移動方向に往復移動可能である。これによって、装飾体、移動体及び表示体の三者による極めて迫力に富んだ演出動作が可能となり、しかも装飾体駆動源、移動体駆動源等の駆動系とともに可動演出装置をコンパクトに構成できる。
【００１９】
なお、複数の表示体が装飾体と同一の軌道で一体に回動している場合には、「回動機構」として遊星歯車機構、「リンク機構」として平行クランク機構をそれぞれ用いることが望ましいが、これらに限定されるわけではない。
【００２０】
さらに、「表示体」の表示対象としては、
（１）ひらかな・カタカナ・漢字・アルファベットのような各種の文字；
（２）算用数字・ローマ数字のような各種の数字；
（３）国旗・紋章・地図記号のような各種の記号；
（４）人物・動物・植物・擬人化されたキャラクタのような各種の図形；
等を含み、これらの表示対象を書き表したり（表記したり）、象形物としたり（象ったり）することによって表示体を形成する。
【００２１】
「表示体の方向性」について、遊技盤が鉛直方向に固定されている場合には主として上下方向に着目すればよいが、左右方向等に考慮してもよい。
【００２２】
そして、このような遊技機用可動演出装置において、
回動位置を回動角と同一の回動角度範囲内において任意の位置に設定できるとともに、
選択表示体が配置された移動体は、その選択表示体が遊技盤に対して一定の方向性を維持しながら、移動方向に往復移動する一方、
移動体が移動方向に往復移動中に装飾体の回動位置を変更調整可能とすることができる。
【００２３】
このように、方向性を維持する選択表示体を移動体とともに往復移動させ、さらに移動体の往復移動と同時に装飾体を回動させることによって、演出動作の多様性を向上させて遊技者の興趣を一層高めることができる。
【００２４】
また、選択表示体及び移動体を、片持ち支持された長尺状の装飾体の基端部と先端部との間の長手方向中途部において、前後方向に重なり合った状態で配置することができる。
【００２５】
装飾体に搭載された選択表示体及び移動体の往復運動は装飾体に振動として伝播する。したがって、選択表示体及び移動体を片持ち状態の装飾体の長手方向中途部に配置することによって、装飾体の先端部では振幅が拡大され、より大きな揺れとなって視認可能となる。
【００２６】
そして、このような遊技機用可動演出装置において、
複数の表示体のうちいずれか１つは基準表示体を構成し、
その基準表示体は、装飾体の基端部に配置された装飾体回動軸線と同心状に、かつ装飾体の回動とは独立して遊技盤に対して固定的に設けられている場合がある。
【００２７】
このように、いずれか１つの表示体を、例えば片持ち支持された長尺状の装飾体や円盤状の装飾体に配置された装飾体回動軸線と同心状にかつ遊技盤に対して固定的に設けて基準表示体とする場合には、基準表示体の方向性に関しては装飾体の回動位置にかかわらず不変となる。したがって、その他の表示体の方向性を一定に保つために、調整機構である回動機構やリンク機構の構成を簡略化することができる。
【００２８】
具体的には、
回動機構は、遊技盤に対して固定配置された太陽歯車と、その太陽歯車と直接又は中間歯車を介して噛み合うように装飾体に軸支された遊星歯車とを含む遊星歯車機構として構成され、
さらに基準表示体は太陽歯車に対して回動不能に固定されるとともに、その他の１又は複数の表示体は追随表示体として装飾体に軸支され、
装飾体が装飾体回動軸線周りに回動するとき、遊星歯車は、太陽歯車の周囲を自転しつつ公転することによって、装飾体の回動方向と同方向又は逆方向へ回動することができる。
【００２９】
このようにして、既知の機構である遊星歯車機構を用い、遊星歯車による進み回転作用（同方向回動）又は戻り回転作用（逆方向回動）を追随表示体の方向性維持に利用する。これによって、追随表示体の方向性調整機構を簡素に構成することができ、装飾体の回動位置にかかわらず追随表示体は一定の方向性を容易にかつ安定して維持することができる。
【００３０】
例えば、太陽歯車と同一モジュールで同一ピッチ円直径の遊星歯車が、中間歯車を介して太陽歯車と噛み合わされる場合には、遊星歯車は、装飾体の回動方向と逆方向へ、かつ回動角と同一の回動角度範囲で回動する。このように、遊星歯車による回動角相当分の戻り回転作用（逆方向回動）を追随表示体の方向性維持に利用することができるので、遊星歯車機構を最も簡素に構成でき、かつ最も効率的に作動させることができる。
【００３１】
なお、太陽歯車が外歯車で構成され、かつ太陽歯車と遊星歯車とが同一モジュールで同一ピッチ円直径の場合には、中間歯車が奇数個であれば遊星歯車は戻り回転（逆方向回動）し、中間歯車が０又は偶数個であれば遊星歯車は進み回転（同方向回動）する。他方、太陽歯車が内歯車で構成される場合には、ピッチ円直径の差（比率）や中間歯車の個数（０を含む）によって、遊星歯車の回転（回動）方向を調整する（切り換える）ことができる。
【００３２】
さらに、追随表示体は複数個で構成されるとともに、
リンク機構は、各追随表示体の表示体回動軸線と遊星歯車機構とを連結するために、装飾体の長手方向に沿って配置された平行クランク機構として構成され、
装飾体が装飾体回動軸線周りに回動するとき、各々の追随表示体は、平行クランク機構によって遊星歯車の回動方向と同一方向へ回動し、基準表示体及び遊技盤に対して共通の方向性を維持することができる。
【００３３】
このようにして、既知の機構である平行クランク機構を用い、上記した遊星歯車による方向性維持機能を複数の追随表示体に等しく享受させる。これによって、追随表示体の方向性調整機構を簡素に構成することができ、追随表示体はその個数にかかわらず、一定の方向性を容易にかつ共通して維持することができる。なお、太陽歯車が外歯車で構成され、かつ太陽歯車と遊星歯車とが同一モジュールで同一ピッチ円直径の場合であって、中間歯車が奇数個（例えば１個）であれば、このとき各々の追随表示体は、遊星歯車の戻り回転作用（逆方向回動）によって装飾体の回動方向と逆方向へ回動する。
【００３４】
そして、上記課題を解決するために、本発明の遊技機は、以上のような遊技機用可動演出装置を備えることを特徴とする。
【００３５】
このように、遊技盤に対して回動可能な装飾体と、所定の移動方向へ移動可能な移動体とを、前後方向で重なり合った状態で配置し、個別の駆動源にて駆動する遊技機用可動演出装置を備えることによって、意外性や躍動感に富んだ演出動作で遊技機における遊技の興趣を高めることができる。また、上記装飾体及び移動体に加え、方向性を有する表示対象が表示された表示体を装飾体の駆動源によって連動して回動するときでも、回動の前後を通じて表示体に一定の方向性を維持することのできる遊技機用可動演出装置を備えることによって、演出動作の内容を見誤ったり理解できなくなったりすることなく、遊技機における遊技の興趣を持続させることができる。
【００３６】
なお、本発明の遊技機には、（１）パチンコ機等の弾球遊技機、（２）スロットマシンやパチスロ機等の回胴式遊技機、（３）ポーカーゲーム機、雀球遊技機等の各種ゲーム機、等が含まれる。
【図面の簡単な説明】
【００３７】
【図１】本発明に係る可動演出装置を含むセンター役物を備えたパチンコ機を例示する正面図。
【図２】可動演出装置の一例を示す正面図。
【図３】図２のＡ−Ａ断面図。
【図４】図２の可動演出装置を前方側ユニットと後方側ユニットとに分解して示す後方からの斜視図。
【図５】図４の可動演出装置の後方側ユニットを分解して示す前方からの斜視図。
【図６】回動枠が水平位置（初期位置）にあるときの後方側ユニットの正面図及び斜視図。
【図７】回動枠が斜め位置（中間位置）にあるときの後方側ユニットの正面図及び斜視図。
【図８】回動枠が垂下位置（終端位置）にあるときの後方側ユニットの正面図及び斜視図。
【図９】図４の可動演出装置の前方側ユニットを一部分解して示す前方からの斜視図。
【図１０】回動枠が水平位置（初期位置）にあるときの文字板の位置関係を示す正面図。
【図１１】回動枠が斜め位置（中間位置）にあるときの文字板の位置関係を示す正面図。
【図１２】回動枠が垂下位置（終端位置）にあるときの文字板の位置関係を示す正面図。
【図１３】図４の可動演出装置の前方側ユニットを一部分解して示す後方からの斜視図。
【図１４】回動枠が水平位置（初期位置）にあり、昇降枠が下降位置（第一位置）にあるときの両者の駆動系を示す背面図。
【図１５】回動枠が水平位置（初期位置）にあり、昇降枠が下降位置（第一位置）にあるときの両者の位置関係を示す正面図、背面図及びＢ−Ｂ断面図。
【図１６】回動枠が水平位置（初期位置）にあり、昇降枠が上昇位置（第二位置）にあるときの両者の位置関係を示す正面図、背面図及びＣ−Ｃ断面図。
【図１７】回動枠が垂下位置（終端位置）にあり、昇降枠が下降位置（第一位置）にあるときの両者の駆動系を示す背面図。
【図１８】回動枠が垂下位置（終端位置）にあり、昇降枠が下降位置（第一位置）にあるときの両者の位置関係を示す正面図、背面図及びＢ’−Ｂ’断面図。
【図１９】回動枠が垂下位置（終端位置）にあり、昇降枠が上昇位置（第二位置）にあるときの両者の位置関係を示す正面図、背面図及びＣ’−Ｃ’断面図。
【発明を実施するための形態】
【００３８】
（実施例）
以下、本発明の実施の形態を図面を参照しつつ説明する。図１は本発明に係る遊技機用可動演出装置（以下、単に可動演出装置ともいう）を含むセンター役物を備えたパチンコ機を例示する正面図である。図１に示すように、パチンコ機１（遊技機）の遊技盤２の盤面（前面）には、ほぼ左半周が内外２本の発射レール２ｂによって区画され、全体として円形の遊技領域２ａが形成されている。遊技領域２ａの中央には、遊技盤２上での遊技状態の変化に応じた演出表示を行う液晶表示部３（可変表示手段）が配置されている。この液晶表示部３と、液晶表示部３を保持する矩形枠状の中央フレーム４と、中央フレーム４の前方にて液晶表示部３の上方に前側装飾部として配置された可動演出装置５と、を含むセンター役物１００が遊技盤２に搭載されている。液晶表示部３の下方（遊技領域２ａの中央下部）に大入賞口６（アタッカー）が配置されている。また、液晶表示部３と大入賞口６との間には、電動チューリップ（電チュー）にて構成される始動口７が配置されている。
【００３９】
なお、本明細書において、上下方向とは遊技盤２の盤面に沿う形で遊技球が流下する方向（例えば、鉛直方向）を意味する。また、左右方向とは遊技盤２の盤面に沿う形で上下方向と交差する方向（例えば、水平方向）を意味し、遊技者側からみて左側、右側をいう。さらに、前後方向とは遊技盤２と交差（例えば、直交）する方向を意味し、遊技者に対面する側（手前側）が前面側（前方側）であり、その反対側（奥側）が後面側（後方側）となる。
【００４０】
図２は可動演出装置の一例を示す正面図、図３はそのＡ−Ａ断面図、図４は可動演出装置を前方側ユニットと後方側ユニットとに分解して示す後方からの斜視図である。図２〜図４に示すように、可動演出装置５は、遊技盤２（図１参照）に対して固定状態で取り付けられる、擬似直方体形状の後方側ユニット８と、前後方向の軸線（後述する回動枠回動軸線Ｏ１）周りで回動可能な、左右方向に長尺状かつ平板状の前方側ユニット９とを備えている。
【００４１】
全体として箱状を呈する後方側ユニット８は、フロントケース８Ｆとリアケース８Ｒとの間に、前方側ユニット９を回動するための駆動系（詳細は後述する）を内蔵し、ユニットベース（図示せず）を介して中央フレーム４（図１参照）に固定されている。前方側ユニット９の主要部を構成する回動枠１０（装飾体）は、長手方向一端側（左端側）の回動座１０Ｚ（回動枠回動軸線Ｏ１（装飾体回動軸線）；図３及び図９参照）を基端部とし、長手方向他端側（右端側）を先端部とする片持ち状態で回動する。回動枠１０は、前面枠１０Ｆと背面枠１０Ｒとが全体として箱状を呈するとともに、背面枠１０Ｒとリアフレーム９Ｒとの間に、後述する昇降枠５０（移動体）を上下方向に往復移動するための駆動系（詳細は後述する）が配置されている。下方に開口した箱状を呈する昇降枠５０は、前枠５０Ｆと後枠５０Ｒとから構成され、回動枠１０に対して上方から跨設されている。前方側ユニット９のリアフレーム９Ｒは、回動枠１０を構成する背面枠１０Ｒの背面側に固定されている。
【００４２】
回動枠１０を構成する前面枠１０Ｆの前方側には、その長手方向（図２に実線で示す初期位置では左右水平方向）に沿って、複数（例えば３個）の文字板３０Ｌ，３０Ｃ，３０Ｒ（表示体；装飾部材）がそれぞれ配設されている。このうち、中文字板３０Ｃ（追随表示体；選択表示体）と右文字板３０Ｒ（追随表示体）とは、文字板回動軸線Ｏ４（表示体回動軸線）周りで回動枠１０に対して相対回動可能となるように、それぞれ前面枠１０Ｆに軸支されている。他方、残りの左文字板３０Ｌ（基準表示体）は、後方側ユニット８を構成するフロントケース８Ｆに固定されている。そこで、回動する回動枠１０から見ると、左文字板３０Ｌも、回動枠回動軸線Ｏ１と共有関係にある文字板回動軸線Ｏ４（表示体回動軸線）周りで回動枠１０に対する相対的な回動が可能であると見做すことができる（詳細は後述する）。なお、昇降枠５０を構成する前枠５０Ｆは、中文字板３０Ｃと前面枠１０Ｆとの間に配置されている。
【００４３】
次に、図５は後方側ユニットを分解して示す前方からの斜視図である。また、図６〜図８は後方側ユニット８（リアケース８Ｒ）の正面図及び斜視図であり、図６は回動枠が水平位置（初期位置）にあるとき、図７は回動枠が斜め位置（中間位置）にあるとき、図８は回動枠が垂下位置（終端位置）にあるときをそれぞれ表している。これらの図によって、前方側ユニット９（具体的には回動枠１０）を回動するための駆動系を説明する。
【００４４】
図５に示すように、後方側ユニット８には、回動枠１０を回動するための駆動系として、片持ち状の回動枠１０を駆動（回動）するための駆動セクタギア１１１（回転駆動体）と、駆動セクタギア１１１の駆動力を回動枠１０に伝達するための揺動アーム１１２（伝達部材）と、揺動アーム１１２と駆動セクタギア１１１とを接続・保持するための保持機構１２０とが内蔵されている。駆動セクタギア１１１は、リアケース８Ｒの背面側に固定された回動枠モータ１１０（装飾体駆動源）からの駆動力をモータ歯車１１０ａを介して受けることによって、所定の回転角度範囲（回動枠１０の回動角に対応する）で回転する。
【００４５】
揺動アーム１１２は、駆動セクタギア１１１と回動枠１０との間に配置され、一端部（左端部）が駆動セクタギア１１１に接続され、他端部（右端部）が回動枠１０の基端部と先端部との間の長手方向中途部に連結されている。具体的には、揺動アーム１１２の左端部では、後述する保持機構１２０を介して駆動セクタギア１１１に接続され、その右端部に貫通形成された長孔１１２ｂ（係合部）には、リアフレーム９Ｒから後方側に（回動枠回動軸線Ｏ１と平行に）突出形成された連結軸９ｂ（係合部）が挿通されている。これによって、揺動アーム１１２は、回動枠回動軸線Ｏ１と平行な揺動軸線Ｏ２を有し、両ケース８Ｆ，８Ｒに軸支された揺動軸１１２ａ周りに揺動し、保持機構１２０と係合部１１２ｂ，９ｂとを介して、駆動セクタギア１１１の駆動力をリアフレーム９Ｒ（回動枠１０）に伝達する。
【００４６】
保持機構１２０は、駆動セクタギア１１１に装着されて揺動アーム１１２の左端部を挟み込むように保持している。具体的には、駆動セクタギア１１１における非歯車形成領域の外周縁部には、保持体１２１が揺動軸線Ｏ２と平行な保持体回動軸線Ｏ３周りで回動可能に装着されている。この保持体１２１は、揺動アーム１１２の左端部に対してその移動方向の両側から摺接する摺接部１２２を有している。さらに具体的には、摺接部１２２は、駆動セクタギア１１１の外周縁部において、保持体回動軸線Ｏ３と同軸状に突出形成された回動軸１２２ａ（主摺接部）と、揺動アーム１１２を挟んで回動軸１２２ａとは反対側において、保持体１２１から保持体回動軸線Ｏ３と平行状に突出形成された突出軸１２２ｂ（副摺接部）とを含む。
【００４７】
したがって、図６において、駆動セクタギア１１１が所定の方向（例えば時計回り）に所定の回転角度範囲で回転するとき、揺動アーム１１２の左端部は回動軸１２２ａと突出軸１２２ｂとで両側から挟み込まれて保持されつつ揺動軸線Ｏ２周りに揺動する。したがって、駆動セクタギア１１１の駆動力は、揺動アーム１１２の右端部において、係合部１１２ｂ，９ｂを介し回動枠１０の長手方向中途部を下方に押す押圧力としてに伝達される。これによって、回動枠１０は、その先端部（右端部）が、基端部（左端部）の回動枠回動軸線Ｏ１周りに所定の回動角（例えば４５°で図７の斜め位置（中間位置）、９０°で図８の垂下位置（終端位置））で回動する。
【００４８】
なお、保持体回動軸線Ｏ３（回動軸１２２ａ）の設置位置について、揺動アーム１１２の右端部側に回動枠１０の自重が作用するときに、自重に基づく揺動軸線Ｏ２周りのモーメントを受け止めるように、揺動アーム１１２の左端部において右側（駆動セクタギア１１１側）に配置してある。
【００４９】
リアケース８Ｒの内面には、水平位置（初期位置；図６）に対応させて、揺動アーム１１２の変動状態を非接触式にて検知するために、フォトセンサ１１３（検知手段）が設置されている。また、揺動アーム１１２の揺動軸１１２ａ付近には、フォトセンサ１１３の所定領域を通過する（すなわち、光を遮る）ことによって各位置へ到達したことを感知し、回動枠モータ１１０の駆動を停止させるための遮蔽板１１２ｃ（通過部）が固定されている。
【００５０】
一方、駆動セクタギア１１１の前端面には、周方向に所定の角度範囲（例えば約半周）にわたって係止壁１１１ａが突出形成されている。また、揺動アーム１１２の左端部には、係止壁１１１ａに向かって凸部１１２ｄが突出形成されている。揺動アーム１１２が垂下位置（終端位置；図８）を超えて回動するとき、係止壁１１１ａと凸部１１２ｄとが当接し、揺動アーム１１２がそれ以上回動するのを阻止する。
【００５１】
以上で説明した回動枠１０の回動について、図６〜図８を参照しつつさらに説明する。
【００５２】
＜水平位置（初期位置）＞（図６）
フォトセンサ１１３が遮蔽板１１２ｃを検知することによって、回動枠モータ１１０の駆動が停止している。揺動アーム１１２は図６の初期位置で停止し、回動枠１０は水平位置（図２の実線位置）で停止している。このとき、揺動アーム１１２の左端部は回動軸１２２ａと突出軸１２２ｂとで両側から挟み込まれて保持されている。
【００５３】
＜斜め位置（中間位置）＞（図７）
回動枠モータ１１０が駆動され、駆動セクタギア１１１が図６（ａ）の矢印方向に回転すると、揺動アーム１１２は揺動軸線Ｏ２周りに揺動して図７の中間位置に達し、回動枠１０は所定の回動角（例えば４５°）で斜め位置（図２の仮想線位置）に達する。揺動アーム１１２の左端部が移動するにつれて保持体１２１も保持体回動軸線Ｏ３周りで回動し、回動軸１２２ａと突出軸１２２ｂとによる揺動アーム１１２の左端部の挟み込み状態（保持状態）を維持する。
【００５４】
＜垂下位置（終端位置）＞（図８）
駆動セクタギア１１１が図７（ａ）からさらに矢印方向に回転すると、揺動アーム１１２は揺動軸線Ｏ２周りに引き続き揺動して図８の終端位置に達し、回動枠１０は所定の回動角（例えば９０°）で垂下位置（図２の仮想線位置）に達する。このとき、保持体１２１も保持体回動軸線Ｏ３周りで引き続き回動し、回動軸１２２ａと突出軸１２２ｂとによる揺動アーム１１２の左端部の挟み込み状態（保持状態）を継続する。この実施例では回動枠モータ１１０の回転数（ステップ数）で停止制御しているが、終端位置検知用のフォトセンサを別途設けてもよい。なお、慣性等によって終端位置を通り過ぎた場合には、凸部１１２ｄが係止壁１１１ａに当接して、揺動アーム１１２がそれ以上回動するのを阻止する。
【００５５】
なお、図８に示す垂下位置（終端位置）から図６に示す水平位置（初期位置）に復帰する（戻る）場合には、以上の説明とは逆方向の手順にて実行される。
【００５６】
このように、回動枠モータ１１０で駆動される駆動セクタギア１１１と、長尺状の回動枠１０の長手方向中途部とを揺動アーム１１２を介して接続することによって、片持ち支持する基端部に過大な負荷をかけることなく回動枠１０を円滑に回動でき、また種々の回動角にて回動した位置に回動枠１０を安定して保持できる。その際、揺動アーム１１２の左端部は、回動軸１２２ａと突出軸１２２ｂとによる挟み込み（保持）によって、保持機構１２０での大きな荷重（負荷）支持が可能となり、回動枠１０の基端部での支持負担を軽減することができ、可動演出装置５の耐久性向上（長寿命化）を図ることができる。また、揺動アーム１１２の左端部が保持機構１２０により挟み込み保持されるので、輸送時・運搬時・取付時等において、梱包材等を用いなくても回動枠１０を損傷から防護できる。
【００５７】
さらに、揺動アーム１１２の左端部を挟んで回動軸１２２ａと突出軸１２２ｂとを配置したので、回動枠１０の自重に基づく揺動軸線Ｏ２周りのモーメントを容易に受け止めることができる。したがって、後述するように、昇降枠５０と昇降枠モータ１５０（移動体駆動源）とを回動枠１０（リアフレーム９Ｒ）に搭載し、昇降枠５０を上下方向に往復移動することによって、昇降枠５０の往復移動が振動となって回動枠１０に付加される場合にも、種々の回動角にて回動した位置に回動枠１０を安定して保持できる。
【００５８】
次に、図９は前方側ユニットを一部分解して示す前方からの斜視図である。また、図１０〜図１２は文字板の位置関係を示す正面図であり、図１０は回動枠が水平位置（初期位置）にあるとき、図１１は回動枠が斜め位置（中間位置）にあるとき、図１２は回動枠が垂下位置（終端位置）にあるときをそれぞれ表している。これらの図によって、回動枠１０の回動と文字板３０Ｌ，３０Ｃ，３０Ｒの回動とを関連させるための連動系について説明する。
【００５９】
図９に示すように、前方側ユニット９（回動枠１０の前面枠１０Ｆ）の前方側において、文字板回動軸線Ｏ４周りで回動枠１０に対して相対回動可能な複数（例えば３個）の文字板３０Ｌ，３０Ｃ，３０Ｒには、遊技盤２（図１参照）の盤面に対して上下方向の方向性を有するアルファベット文字（例えば『Ｎ』、『Ｐ』、『Ｂ』）がそれぞれ表記されている。また、回動枠１０には、回動枠１０の回動につれて、回動枠回動軸線Ｏ１周りに回動枠１０の回動角と同一の回動角度範囲で回動する遊星歯車機構１３０（回動機構）と、その遊星歯車機構１３０の回動角度範囲と等価な回動角度で各文字板３０Ｌ，３０Ｃ，３０Ｒを回動するための平行クランク機構１４０（リンク機構）とが内蔵されている。
【００６０】
図１０に示すように、遊星歯車機構１３０は、後方側ユニット８のフロントケース８Ｆに回動枠回動軸線Ｏ１と同心状に固定配置（図２参照）された太陽歯車１３１（外セクタ歯車）と、太陽歯車１３１と噛み合うように回動枠１０の前面枠１０Ｆに軸支（図２参照）された複数（例えば２個）の遊星歯車１３２Ａ，１３２Ｂ（外セクタ歯車）とを含む。各々の遊星歯車１３２Ａ，１３２Ｂは太陽歯車１３１と同一モジュールで同一ピッチ円直径を有する。太陽歯車１３１に近い方の第一遊星歯車１３２Ａは、１個の中間歯車１３１ａを介して太陽歯車１３１と噛み合わせてある。一方、遠い方の第二遊星歯車１３２Ｂは、連結フレーム１３３の両端部に形成されたラック部１３３ａ，１３３ａを介して第一遊星歯車１３２Ａと噛み合っている。連結フレーム１３３は回動枠１０の長手方向に沿って背面枠１０Ｒに摺動可能に保持され、両遊星歯車１３２Ａ，１３２Ｂ間に架設されている。したがって、第二遊星歯車１３２Ｂは、ラック部１３３ａ，１３３ａを中間歯車とし、第一遊星歯車１３２Ａとラック部１３３ａ，１３３ａとを介して太陽歯車１３１と噛み合っている。
【００６１】
このように、上記遊星歯車機構１３０は、回動枠１０を腕とし、太陽歯車１３１と２個の遊星歯車１３２Ａ，１３２Ｂとで構成され、太陽歯車１３１を固定して腕（回動枠１０）を回動させる方式で用いられる。
【００６２】
３個の文字板３０Ｌ，３０Ｃ，３０Ｒのうち、『Ｎ』が表記された左文字板３０Ｌは、固定軸１３４により太陽歯車１３１（回動枠回動軸線Ｏ１）と同心状にかつ回動不能に配置され（図２参照）、基準となる文字板（基準表示体）を構成している。そして、『Ｐ』が表記された中文字板３０Ｃと、『Ｂ』が表記された右文字板３０Ｒとは、それぞれ支軸１３５（文字板回動軸線Ｏ４）により回動枠１０の前面枠１０Ｆに軸支され（図２参照）、平行クランク機構１４０により回動枠１０の回動に追随して回動する文字板（追随表示体）を構成している。
【００６３】
平行クランク機構１４０は、回動枠１０の長手方向に沿って連結フレーム１３３と平行状に配置されるリンクフレーム１４１と、前面枠１０Ｆに軸支される中文字板３０Ｃ及び右文字板３０Ｒの支軸１３５，１３５とリンクフレーム１４１とをそれぞれ繋ぐ連接リンク１４２，１４２とを含む。したがって、リンクフレーム１４１と連接リンク１４２，１４２とは平行四辺形を形成する。
【００６４】
したがって、回動枠１０（遊星歯車機構１３０の腕）が回動枠回動軸線Ｏ１周りに回動するとき、各遊星歯車１３２Ａ，１３２Ｂは、それぞれ太陽歯車１３１の周囲を回動枠１０の回動方向と同方向（例えば時計回り）へ公転しつつ逆方向（例えば反時計回り）へ自転する。すなわち、各々の遊星歯車１３２Ａ，１３２Ｂは、回動枠１０と同方向へ回動枠１０の回動角と同一の回動角度範囲で公転しながら、自身は逆方向へ回動枠１０の回動角と同一の回動角度範囲で戻り回転（自転）する。このとき、平行クランク機構１４０によって連接リンク１４２，１４２は、回動枠１０の回動角と同一の回動角度範囲で支軸１３５，１３５とともに逆作動し、中文字板３０Ｃ及び右文字板３０Ｒの表記文字である『Ｐ』及び『Ｂ』の上下方向を回動前とそれぞれ一致させる。
【００６５】
ところで、回動枠１０が回動しても、基準の文字板である左文字板３０Ｌは、固定軸１３５を介して太陽歯車１３１に固定されたまま回動しない。したがって、追随して回動する文字板である中文字板３０Ｃ及び右文字板３０Ｒのように、文字板回動軸線Ｏ４周りに回動可能であるとは言えない。しかし、本来回動枠１０とともに回動枠回動軸線Ｏ１周りで回動するはずの左文字板３０Ｌは回動前の上下方向を維持して静止しているので、回動する回動枠１０側から見ると、あたかも自身の回動角分だけ回動枠回動軸線Ｏ１周りで逆方向に回動したかのごとく看取される。回動枠１０側から見た状況は左文字板３０Ｌに限らず、中文字板３０Ｃ及び右文字板３０Ｒについても同様である。そこで、回動する回動枠１０から見る場合を判定基準とすれば、左文字板３０Ｌも、回動枠回動軸線Ｏ１と共有関係にある文字板回動軸線Ｏ４周りで回動枠１０に対する相対的な回動が可能であると見做すことができる。
【００６６】
図３に戻り、中文字板３０Ｃの裏蓋３０ａ（中文字発光基板を兼ねる場合あり）に貫通形成された凹部の内周面と、前枠５０Ｆ（昇降枠５０）の前面から前方側へ一体的に突出形成され、中文字板３０Ｃに固定された支軸１３５を挿通軸支する円筒状のボス部５０ａの外周面との間に環状隙間ＳＣが形成されている。また、右文字板３０Ｒの裏蓋３０ａ（右文字発光基板を兼ねる場合あり）に貫通形成された凹部の内周面と、前面枠１０Ｆ（回動枠１０）の前面から前方側へ一体的に突出形成され、右文字板３０Ｒに固定された支軸１３５を挿通軸支する円筒状のボス部１０ａの外周面との間に環状隙間ＳＲが形成されている。そして、図３に示すように、右文字用の環状隙間ＳＲは中文字用の環状隙間ＳＣよりも広幅に形成されている。
【００６７】
ところで、回動枠１０が回動枠回動軸線Ｏ１周りで時計回り（又は反時計回り）に回動して停止したとき（図２参照）、中文字板３０Ｃ及び右文字板３０Ｒには、自身の重量に加えて遊星歯車機構１３０や平行クランク機構１４０の重量も慣性力として作用する。したがって、中文字板３０Ｃ及び右文字板３０Ｒは、それぞれの表記文字である『Ｐ』及び『Ｂ』の上下方向を回動前と一致させた状態にてすぐには停止できず、それぞれの文字板回動軸線Ｏ４周りでしばらく揺動回転することになる。このとき、中文字板３０Ｃよりも長手方向遠方側（右端部側）に位置する右文字板３０Ｒには、遊星歯車機構１３０や平行クランク機構１４０の全重量が掛かるためより大きなモーメントが作用するが、右文字用の環状隙間ＳＲを中文字用の環状隙間ＳＣよりも広幅に形成しているので、中文字板３０Ｃよりも大きく揺動回転できる。
【００６８】
なお、右文字板３０Ｒにおける支軸１３５の外周面とボス部１０ａの内周面との間のリング状隙間や、中文字板３０Ｃにおける支軸１３５の外周面とボス部５０ａの内周面との間のリング状隙間を大きくすることによっても、上記した揺動回転を許容することができる。その際、上記と同様に、右文字用のリング状隙間を中文字用のリング状隙間よりも広幅に形成してもよい。
【００６９】
以上で説明した回動枠１０の回動に連動する文字板３０Ｌ，３０Ｃ，３０Ｒの回動について、図６〜図８及び図１０〜図１２を参照しつつさらに説明する。
【００７０】
＜水平位置（初期位置）＞（図６，図１０）
揺動アーム１１２が図６の初期位置で停止し、回動枠１０が水平位置（図２の実線位置）で停止している。このとき、連結フレーム１３３及びリンクフレーム１４１は回動枠１０と同じ水平方向に位置しているので、文字板３０Ｌ，３０Ｃ，３０Ｒの表記文字『Ｎ』、『Ｐ』、『Ｂ』は通常の上下方向で表示される。
【００７１】
＜斜め位置（中間位置）＞（図７，図１１）
揺動アーム１１２は揺動軸線Ｏ２周りに揺動して図７の中間位置に達し、回動枠１０は所定の回動角（例えば４５°）で斜め位置（図２の仮想線位置）に達する。このとき、連結フレーム１３３及びリンクフレーム１４１は回動枠１０と同じ斜め方向に位置する。連接リンク１４２，１４２は、遊星歯車機構１３０と平行クランク機構１４０とによって、回動枠１０の回動角と同一の回動角度範囲で支軸１３５，１３５とともに逆作動するので、文字板３０Ｃ，３０Ｒの表記文字『Ｐ』、『Ｂ』の上下方向は回動前と一致する。なお、左文字板３０Ｌは、固定軸１３５を介して太陽歯車１３１に固定されたまま回動しない。
【００７２】
＜垂下位置（終端位置）＞（図８，図１２）
揺動アーム１１２は揺動軸線Ｏ２周りに引き続き揺動して図８の終端位置に達し、回動枠１０は所定の回動角（例えば９０°）で垂下位置（図２の仮想線位置）に達する。このとき、連結フレーム１３３及びリンクフレーム１４１は回動枠１０と同じ垂下方向に位置する。連接リンク１４２，１４２は、遊星歯車機構１３０と平行クランク機構１４０とによって、回動枠１０の回動角と同一の回動角度範囲で支軸１３５，１３５とともに逆作動するので、文字板３０Ｃ，３０Ｒの表記文字『Ｐ』、『Ｂ』の上下方向は回動前と一致する。なお、左文字板３０Ｌは、固定軸１３５を介して太陽歯車１３１に固定されたまま回動しない。
【００７３】
なお、図８及び図１２に示す垂下位置（終端位置）から図６及び図１０に示す水平位置（初期位置）に復帰する（戻る）場合には、以上の説明とは逆方向の手順にて実行される。
【００７４】
このように、回動枠モータ１１０の駆動力によって回動枠１０が回動するとき、回動枠１０の動きが遊星歯車機構１３０及び平行クランク機構１４０を介して文字板３０Ｌ，３０Ｃ，３０Ｒに伝達されると、表記文字『Ｎ』、『Ｐ』、『Ｂ』の上下方向は回動の前後を通じて変わらない。回動の前後で表記文字『Ｎ』、『Ｐ』、『Ｂ』の上下方向が変化しないため、演出動作の内容を見誤ったり理解できなくなったりすることなく、遊技者に対して興趣を持続させることができる。
【００７５】
次に、図１３は前方側ユニットを一部分解して示す後方からの斜視図である。また、図１４及び図１７は回動枠と昇降枠の駆動系を示す背面図であり、図１４は回動枠が水平位置（初期位置）にあり、昇降枠が下降位置（第一位置）にあるとき、図１７は回動枠が垂下位置（終端位置）にあり、昇降枠が下降位置（第一位置）にあるときをそれぞれ表している。さらに、図１５・図１６及び図１８・図１９は回動枠と昇降枠の位置関係を示す正面図、背面図及び断面図であり、図１５は回動枠が水平位置（初期位置）にあり、昇降枠が下降位置（第一位置）にあるとき、図１６は回動枠が水平位置（初期位置）にあり、昇降枠が上昇位置（第二位置）にあるとき、図１８は回動枠が垂下位置（終端位置）にあり、昇降枠が下降位置（第一位置）にあるとき、図１９は回動枠が垂下位置（終端位置）にあり、昇降枠が上昇位置（第二位置）にあるときをそれぞれ表している。これらの図によって、昇降枠５０を昇降移動するための駆動系を説明する。
【００７６】
図１３〜図１５に示すように、昇降枠５０の前枠５０Ｆは、中文字板３０Ｃ（選択表示体）と回動枠１０の背面枠１０Ｒとに挟まれて配置されている。昇降枠５０（前枠５０Ｆ）は、回動枠１０の前方側にて前後で重なり合った状態を保持しつつ、回動枠１０とは独立して上下方向に昇降移動（すなわち、回動枠１０の長手方向と交差（例えば直交）し、かつ遊技盤２（図１参照）の盤面と平行な移動方向へ移動）可能である。前方側ユニット９は、昇降枠５０を昇降移動するための駆動系として、昇降枠５０を駆動するための昇降枠モータ１５０及び駆動アーム１５１と、平行クランク機構１４０と中文字板３０Ｃとの間に配置される案内機構１６０とを備えている。
【００７７】
昇降枠モータ１５０は回動枠１０のリアフレーム９Ｒに搭載され、昇降枠５０に対して上下方向の駆動力を及ぼす。駆動アーム１５１は、一端部が回動枠１０の背面枠１０Ｒに軸支されるとともに、他端部に貫通形成された長孔１５１ａ（係合部）に昇降枠５０の後枠５０Ｒから後方側へ突出形成された駆動ピン５０ａ（係合部）が挿入されている。
【００７８】
案内機構１６０は、昇降枠モータ１５０からの駆動力により昇降枠５０が中文字板３０Ｃとともに移動方向に移動する際に、平行クランク機構１４０の一部を上下方向に沿って移動案内する。具体的には、リンクフレーム１４１において、昇降枠５０が昇降移動する際に、中文字板３０Ｃ用連接リンク１４２のリンク支点軸１６１が上下方向に移動できるように、上下方向に延びる案内溝１６２が長孔状に貫通形成されている。
【００７９】
なお、昇降枠５０の後枠５０Ｒには、上下方向に延びる複数（例えば２つ）のガイド溝５０ｂ（係合部）が長孔状かつ平行状に貫通形成され、回動枠１０の背面枠１０Ｒに固定される同数のガイドピン１０ａ（係合部）がそれぞれガイド溝５０ｂに挿通されている。昇降枠５０が駆動アーム１５１で駆動されて昇降移動する際に、昇降枠５０のガイド溝５０ｂはガイドピン１０ａに案内されて円滑に作動できる。また、背面枠１０Ｒの背面には、昇降枠５０の下降位置（第一位置；図１５）に対応させて、駆動アーム１５１の変動状態を非接触式にて検知するために、フォトセンサ１５２（検知手段）が設置されている。そして、駆動アーム１５１の一端部には、フォトセンサ１５２の所定領域を通過する（すなわち、光を遮る）ことによって各位置へ到達したことを感知し、昇降枠モータ１５０の駆動を停止させるための遮蔽板１５１ｂ（通過部）が固定されている。
【００８０】
以上で説明した昇降枠５０の昇降移動について、図１４〜図１９を参照しつつさらに説明する。
【００８１】
＜回動枠１０が水平位置（初期位置）；昇降枠５０が下降位置（第一位置）＞（図１４，図１５）
フォトセンサ１１３が遮蔽板１１２ｃを検知することによって、回動枠モータ１１０の駆動が停止している（図６（ａ）参照）。揺動アーム１１２は図１４の初期位置で停止し、回動枠１０は水平位置（図２の実線位置）で停止している。一方、フォトセンサ１５２が遮蔽板１５１ｂを検知することによって、昇降枠モータ１５０の駆動が停止している。駆動アーム１５１は図１５の第一位置で停止し、昇降枠５０は下降位置で停止している。
【００８２】
＜回動枠１０が水平位置（初期位置）；昇降枠５０が上昇位置（第二位置）＞（図１４，図１６）
フォトセンサ１１３が遮蔽板１１２ｃを検知することによって、回動枠モータ１１０の駆動が停止している（図６（ａ）参照）。揺動アーム１１２は図１４の初期位置で停止し、回動枠１０は水平位置（図２の実線位置）で停止している。一方、昇降枠モータ１５０が駆動され、駆動アーム１５１が図１５（ｂ）の矢印方向に回転すると、駆動アーム１５１は図１６の第二位置に達し、昇降枠５０は上昇位置に達する。このとき、平行クランク機構１４０及び案内機構１６０では、中文字板３０Ｃ用連接リンク１４２のリンク支点軸１６１が案内溝１６２内を上昇する（図１０参照）。
【００８３】
＜回動枠１０が垂下位置（終端位置）；昇降枠５０が下降位置（第一位置）＞（図１７，図１８）
駆動セクタギア１１１が図１４から矢印方向に回転すると、揺動アーム１１２は揺動軸線Ｏ２周りに揺動して図１７の終端位置に達し、回動枠１０は所定の回動角（例えば９０°）で垂下位置（図２の仮想線位置）に達する。一方、フォトセンサ１５２が遮蔽板１５１ｂを検知することによって、昇降枠モータ１５０の駆動が停止している。駆動アーム１５１は図１８の第一位置で停止し、昇降枠５０は下降位置で停止している。
【００８４】
＜回動枠１０が垂下位置（終端位置）；昇降枠５０が上昇位置（第二位置）＞（図１７，図１９）
引き続き回動枠モータ１１０の駆動が停止している。揺動アーム１１２は図１７の終端位置で停止し、回動枠１０は垂下位置（図２の仮想線位置）で停止している。一方、昇降枠モータ１５０が駆動され、駆動アーム１５１が図１８（ｂ）の矢印方向に回転すると、駆動アーム１５１は図１９の第二位置に達し、昇降枠５０は上昇位置に達する。このとき、平行クランク機構１４０及び案内機構１６０では、中文字板３０Ｃ用連接リンク１４２のリンク支点軸１６１が案内溝１６２内を上昇する（図１２参照）。
【００８５】
なお、回動枠１０が斜め位置（中間位置）の場合について説明を省略したが、図７や図１１と同様に可能である。また、回動枠１０が図１７に示す垂下位置（終端位置）から図１４に示す水平位置（初期位置）に復帰する（戻る）場合、あるいは昇降枠５０が図１６及び図１９に示す上昇位置（第二位置）から図１５及び図１８に示す下降位置（第一位置）に復帰する（戻る）場合には、それぞれ以上の説明とは逆方向の手順にて実行される。
【００８６】
このように、片持ち支持されて回動する長尺状の回動枠１０と、上下方向へ移動可能な昇降枠５０とを、前後方向で重なり合った状態で配置し、個別のモータにて駆動することによって、意外性や躍動感に富んだ演出動作で遊技者の興趣を高めることができる。すなわち、回動枠１０は回動枠モータ１１０からの駆動力によって片持ち状態で回動し、昇降枠５０は昇降枠モータ１５０からの駆動力によって回動枠１０の前方側で往復移動するため、迫力に富んだ演出動作により遊技者の興趣を持続させることができる。
【００８７】
さらに、平行クランク機構１４０と中文字板３０Ｃとの間にリンク支点軸１６１の移動のための案内溝１６２が配置されているので、昇降枠５０は、案内溝１６２を介して中文字板３０Ｃとともに、昇降枠モータ１５０からの駆動力によって往復移動可能である。これによって、回動枠１０、昇降枠５０及び中文字板３０Ｃの三者による極めて迫力に富んだ演出動作が可能となり、しかも回動枠モータ１１０、昇降枠モータ１５０等の駆動系とともに可動演出装置５をコンパクトに構成できる。
【００８８】
以上の実施例では、複数の文字板３０Ｌ，３０Ｃ，３０Ｒを長尺状の回動枠１０の長手方向に沿って各々相対回動可能に装着したが、例えば円盤状の回動枠の回動中心及び中心から所定距離隔てた周方向に沿って各々相対回動可能に装着してもよい。また、遊技機用可動演出装置をパチンコ機に搭載する場合についてのみ説明したが、アレンジパチンコ等のその他の弾球遊技機は勿論、スロットマシンやパチスロ機等の回胴式遊技機、ポーカーゲーム機や雀球遊技機等の各種ゲーム機、等で実施してもよい。
【符号の説明】
【００８９】
１          パチンコ機（遊技機）
２          遊技盤
３          液晶表示部（可変表示手段）
４          中央フレーム
５          可動演出装置（遊技機用可動演出装置；前側装飾部）
８          後方側ユニット
８Ｆ        フロントケース
８Ｒ        リアケース
９          前方側ユニット
９Ｒ        リアフレーム
９ｂ        連結軸（係合部）
１０        回動枠（装飾体）
１０Ｆ      前面枠
１０Ｒ      背面枠
１０Ｚ      回動座
３０        文字板（表示体；装飾部材）
３０Ｌ      左文字板（基準表示体）
３０Ｃ      中文字板（追随表示体；選択表示体）
３０Ｒ      右文字板（追随表示体）
５０        昇降枠（移動体）
５０Ｆ      前枠
５０Ｒ      後枠
１００      センター役物
１１０      回動枠モータ（装飾体駆動源）
１１１      駆動セクタギア（回転駆動体）
１１２      揺動アーム（伝達部材）
１１２ａ    揺動軸
１１２ｂ    長孔（係合部）
１２０      保持機構
１２１      保持体
１２２      摺接部
１２２ａ    回動軸（主摺接部）
１２２ｂ    突出軸（副摺接部）
１３０      遊星歯車機構（回動機構）
１３１      太陽歯車
１３１ａ    中間歯車
１３２Ａ，１３２Ｂ  遊星歯車
１３３      連結フレーム
１３３ａ    ラック部
１３４      固定軸
１３５      支軸
１４０      平行クランク機構（リンク機構）
１４１      リンクフレーム
１４２      連接リンク
１５０      昇降枠モータ（移動体駆動源）
１５１      駆動アーム
１６０      案内機構
１６１      リンク支点軸
１６２      案内溝
Ｏ１        回動枠回動軸線（装飾体回動軸線）
Ｏ２        揺動軸線
Ｏ３        保持体回動軸線
Ｏ４        文字板回動軸線（表示体回動軸線）
【図１】
2010214012.tif 000003
【図２】
2010214012.tif 000004
【図３】
2010214012.tif 000005
【図４】
2010214012.tif 000006
【図５】
2010214012.tif 000007
【図６】
2010214012.tif 000008
【図７】
2010214012.tif 000009
【図８】
2010214012.tif 000010
【図９】
2010214012.tif 000011
【図１０】
2010214012.tif 000012
【図１１】
2010214012.tif 000013
【図１２】
2010214012.tif 000014
【図１３】
2010214012.tif 000015
【図１４】
2010214012.tif 000016
【図１５】
2010214012.tif 000017
【図１６】
2010214012.tif 000018
【図１７】
2010214012.tif 000019
【図１８】
2010214012.tif 000020
【図１９】
2010214012.tif 000021